(57)【要約】【課題】車両等の移動体に設けられた通信網に移動体外から持ち込まれる装置を接続した場合でも通信網に接続されている装置の瞬断が無いシステムを、高速な通信を維持した状態で安価に構築することが可能な接続装置及び通信システムを提供する。【解決手段】車両等の移動体に設けられた第１通信網ＮＷ１と、移動体内に持ち込まれる装置を接続する第２通信網ＮＷ２とをゲートウェイ機能を備える接続装置１０にて接続し、実時間性を要求される同期通信の中継処理は、処理速度が速い専用のＬＳＩ等の集積回路を用いた第１中継手段１２にて行い、実時間性を要求されない非同期通信は、第２中継手段１３によりコンピュータプログラムを実行することで行う。【選択図】　　　　図２
2004080542.tif 000002
【特許請求の範囲】
【請求項１】
移動体内に設けられ、複数種類の方式の通信に用いられる第１通信網に接続する手段を備える接続装置において、
複数種類の方式の通信に用いられ、第１通信網と異なる第２通信網に接続する手段と、第１通信網及び第２通信網間の第１方式の通信を中継する第１中継手段と、第１方式と異なる第２方式の通信を中継する第２中継手段とを備えることを特徴とする接続装置。
【請求項２】
前記第１方式の通信は、チャネルが示されたパケットを、割り当てられた帯域にて送信する同期通信であり、前記第２方式の通信は、送信元及び送信先の夫々のアドレスが示されたパケットを送信する非同期通信であることを特徴とする請求項１に記載の接続装置。
【請求項３】
前記第１中継手段は、一方の通信網から受信したパケットを他方の通信網へ送信する場合に、他方の通信網での帯域及びチャネルを確保する手段と、一方の通信網から受信したパケットに示されるチャネルを、他方の通信網に対応するチャネルに書き換える手段とを有することを特徴とする請求項２に記載の接続装置。
【請求項４】
前記第２中継手段は、一方の通信網から受信したパケットを他方の通信網へ送信する場合に、一方の通信網から受信したパケットに示される送信元及び送信先の夫々のアドレスを、他方の通信網に対応する夫々のアドレスに書き換える手段を有することを特徴とする請求項２又は請求項３に記載の接続装置。
【請求項５】
前記第１中継手段は、集積回路を有し、前記第２中継手段は、コンピュータプログラムを記録している第１メモリ及び該第１メモリに記録しているコンピュータプログラムの実行時の演算に使用する第２メモリを有することを特徴とする請求項１乃至請求項４のいずれかに記載の接続装置。
【請求項６】
移動体内に設けられ、複数種類の方式の通信に用いられる第１通信網と、複数種類の方式の通信に用いられ、第１通信網と異なる第２通信網と、第１通信網及び第２通信網に接続する請求項１乃至請求項５のいずれかに記載の接続装置とを備えることを特徴とする通信システム。
【請求項７】
前記第１通信網及び第２通信網は、ＩＥＥＥ１３９４にて規定された規格に基づくことを特徴とする請求項６に記載の通信システム。
【発明の詳細な説明】
【０００１】
【発明の属する技術分野】
本発明は車両等の移動体内に設けられた通信網に接続する接続装置及びその接続装置を用いた通信システムに関し、特に移動体内に設けられた第１通信網と移動体内に持ち込まれる装置を接続する第２通信網とを接続する接続装置及び通信システムに関する。
【０００２】
【従来の技術】
近年、車両等の移動体に搭載されるナビゲーション装置及びオーディオ装置等の各種装置が増加の一途を辿っており、各種装置間を、例えばＩＥＥＥ１３９４にて規定された規格に基づく通信網にて接続し、車内ＬＡＮ（Ｌｏｃａｌ　Ａｒｅａ　Ｎｅｔｗｏｒｋ）を実現する通信システムの導入が検討されている。
【０００３】
ＩＥＥＥ１３９４では、映像及び音楽等の実時間性を要する通信に適用される同期通信並びに制御信号等の実時間性を要しない通信に適用される非同期通信の２つの通信方式が用いられている。
またＩＥＥＥ１３９４では、通信網に接続する装置が動作中に、他の装置を通信網に接続した場合でも、通信網上の装置の再認識及びアドレスの再割り当て等の各種処理を行うバスリセットが自動的に実施され、通信が再開されるホットプラグアンドプレイ機能を実現している。
【０００４】
この機能により、ＩＥＥＥ１３９４にて規定された規格に基づく車内ＬＡＮでは、移動体に搭載されている装置に、移動体外から持ち込まれるパーソナルコンピュータ及び携帯情報端末機器並びにＤＶＣ（Ｄｉｇｉｔａｌ　Ｖｉｄｅｏ　Ｃａｍｅｒａ）等の各種装置を容易に接続することが可能であり、これによりＤＶＣにて再生される画像をナビゲーション装置のモニタから出力させるというような各種情報の送受信を実現することが可能となる。
【０００５】
【発明が解決しようとする課題】
しかしながら検討されている従来の通信システムにおいては、ＩＥＥＥ１３９４にて規定された通信網に接続されるナビゲーション装置及びオーディオ装置等の装置が稼働中に、移動体外から持ち込まれる装置を接続した場合、バスリセットが発生することにより、通信網に接続している装置の動作が瞬断され、モニタから出力しているナビゲーション映像のフラッシュ及び再生中の音楽の音飛び等の異常が発生するという問題がある。
またＩＥＥＥ１３９４にて規定された規格に基づく通信網では、その規格により接続することが可能な装置の上限が６３個に限定されており、６４個以上の装置を接続することができないという問題がある。
【０００６】
本発明は斯かる事情に鑑みてなされたものであり、移動体に搭載される装置を接続する移動体内に設けられた第１通信網にゲートウェイ機能を備える接続装置を接続し、移動体外から持ち込まれる装置を第２通信網に接続する装置として接続装置に接続し、接続装置では第１通信網及び第２通信網間の通信を中継し、しかも第１方式の通信である同期通信の中継処理は、専用のＬＳＩ等の集積回路にて行い、第２方式の通信である非同期通信の中継処理は、コンピュータプログラムの実行処理にて行うことにより、第１通信網では第２通信網のバスリセットの影響による瞬断が発生せず、またシステム全体として接続する装置の上限を引き上げることが可能で、しかも実時間性を要求される同期通信は、処理速度が速い集積回路にて行い、非同期通信には開発及び改良コストを抑制できるコンピュータプログラムの実行処理にて行うことで通信速度の向上及びコストの低減を実現することが可能な接続装置及びその接続装置を用いた通信システムの提供を目的とする。
【０００７】
【課題を解決するための手段】
第１発明に係る接続装置は、移動体内に設けられ、複数種類の方式の通信に用いられる第１通信網に接続する手段を備える接続装置において、複数種類の方式の通信に用いられ、第１通信網と異なる第２通信網に接続する手段と、第１通信網及び第２通信網間の第１方式の通信を中継する第１中継手段と、第１方式と異なる第２方式の通信を中継する第２中継手段とを備えることを特徴とする。
【０００８】
第２発明に係る接続装置は、第１発明において、前記第１方式の通信は、チャネルが示されたパケットを、割り当てられた帯域にて送信する同期通信であり、前記第２方式の通信は、送信元及び送信先の夫々のアドレスが示されたパケットを送信する非同期通信であることを特徴とする。
【０００９】
第３発明に係る接続装置は、第２発明において、前記第１中継手段は、一方の通信網から受信したパケットを他方の通信網へ送信する場合に、他方の通信網での帯域及びチャネルを確保する手段と、一方の通信網から受信したパケットに示されるチャネルを、他方の通信網に対応するチャネルに書き換える手段とを有することを特徴とする。
【００１０】
第４発明に係る接続装置は、第２発明又は第３発明において、前記第２中継手段は、一方の通信網から受信したパケットを他方の通信網へ送信する場合に、一方の通信網から受信したパケットに示される送信元及び送信先の夫々のアドレスを、他方の通信網に対応する夫々のアドレスに書き換える手段を有することを特徴とする。
【００１１】
第５発明に係る接続装置は、第１発明乃至第４発明のいずれかにおいて、前記第１中継手段は、集積回路を有し、前記第２中継手段は、コンピュータプログラムを記録している第１メモリ及び該第１メモリに記録しているコンピュータプログラムの実行時の演算に使用する第２メモリを有することを特徴とする。
【００１２】
第６発明に係る通信システムは、移動体内に設けられ、複数種類の方式の通信に用いられる第１通信網と、複数種類の方式の通信に用いられ、第１通信網と異なる第２通信網と、第１通信網及び第２通信網に接続する第１発明乃至第５発明のいずれかに記載の接続装置とを備えることを特徴とする。
【００１３】
第７発明に係る通信システムは、第６発明において、前記第１通信網及び第２通信網は、ＩＥＥＥ１３９４にて規定された規格に基づくことを特徴とする。
【００１４】
本発明に係る接続装置及び通信システムでは、ＩＥＥＥ１３９４にて規定された規格に基づき車両等の移動体に設けられた第１通信網と、移動体内に持ち込まれる装置を接続する第２通信網とをゲートウェイ機能を備える接続装置にて接続し、実時間性を要求される同期通信の中継処理は、処理速度が速い専用のＬＳＩ等の集積回路にて行い、実時間性を要求されない非同期通信には、開発及び改良コストを抑制することができるコンピュータプログラムの実行処理にて行うことにより、一方の通信網のバスリセットによる瞬断を原因とする他方の通信網への悪影響を防止することが可能であり、また夫々独立した通信網を用いるので、システム全体として接続する装置の台数の上限を引き上げることが可能であり、しかも通信速度の向上及びコストの低減を実現することが可能である。
【００１５】
【発明の実施の形態】
以下、本発明をその実施の形態を示す図面に基づいて詳述する。
図１は本発明の通信システムの構成を示すブロック図である。
図１中ＮＷ１は、車両等の移動体内に設けられ、車内ＬＡＮを構築する第１通信網であり、第１通信網ＮＷ１は、ＩＥＥＥ１３９４にて規定された規格に基づいており、また車載用として製造された液晶モニタ、リアカメラ、スピーカ接続アンプ及びＣＤプレーヤ等の第１装置１，１，…が接続されている。
さらに第１通信網ＮＷ１には、ゲートウェイ機能を有する本発明の接続装置１０が接続されており、接続装置１０には、第１通信網ＮＷ１と異なる第２通信網ＮＷ２及び接続装置１０の操作に用いるコントローラ２０が接続されている。
なお接続装置１０及びコントローラ２０は、ＲＳ２３２Ｃ等の規格にて規定された通信線にて接続されている。
第２通信網ＮＷ２は、ＩＥＥＥ１３９４にて規定された規格に基づいており、移動体内に持ち込まれるパーソナルコンピュータに接続するためのルータ、ＭＤプレーヤ及びＤＶＣ等（Ｄｉｇｉｔａｌ　Ｖｉｄｅｏ　Ｃａｍｅｒａ）等の第２装置２，２，…が接続される。
【００１６】
なお移動体が車両である場合、接続装置１０をセンタークラスタの後部に配置し、第１装置１である液晶モニタを前部座席の前方の容易に視認することができる位置に配置し、コントローラ２０を前部座席のセンタークラスタに配置するというように各装置が配置される。
【００１７】
ここで本発明の通信システムが採用しているＩＥＥＥ１３９４に規定された規格に基づく通信について説明する。
ＩＥＥＥ１３９４にて規定された規格に基づく通信において、接続装置１０は第１通信網ＮＷ１及び第２通信網ＮＷ２に接続されている夫々の装置を監視しており、いずれかの通信網に新たな装置が接続された場合等のシステム構成に変化が生じた場合、通信網に接続する各装置を特定するアドレスであるノードＩＤを夫々の装置に割り付け直すバスリセット処理を行う。
またこのとき接続装置１０では、バスリセット処理が行われた通信網に接続する装置の認証等の各装置に関する情報を収集する処理を行う。
【００１８】
なお本発明の通信システムでは、第１通信網ＮＷ１及び第２通信網ＮＷ２の２つの通信網を備えており、夫々の通信網には夫々独立したノードＩＤが割り付けられ、これにより接続装置１０においては、第１通信網ＮＷ１上でのノードＩＤ及び第２通信網ＮＷ２上でのノードＩＤの２つのノードＩＤが割り付けられることになる。
このため第１通信網ＮＷ１に接続する第１装置１，１，…は、第２通信網ＮＷ２に接続する第２装置２，２，…を認識しておらず、第２装置２，２，…は、第１装置１，１，…を認識していない。
またバスリセットは、夫々の通信網にて行われるため、一方の通信網にて行われたバスリセットが他方の通信網に影響することはない。
【００１９】
またＩＥＥＥ１３９４にて規定された規格に基づく通信では、通信網上に接続する一の装置から他の装置へ情報を送信する方法として、同期（Ｉｓｏｃｈｒｏｏｕｓ）通信と、非同期（Ａｓｙｎｃｈｒｏｎｏｕｓ）通信との２種類の方式の通信がある。
同期通信は、ＣＤプレーヤ等の装置から送出される音楽情報等の情報の通信に用いられる通信の方式であり、ヘッダ情報としてチャネルを示す符号が含まれている同期通信用のパケットを、１２５μｓの周期で通信網上へ送出し、通信網に接続する夫々の装置は、チャネルを識別することにより、通信網上に送出されている同期通信用のパケットの受け取りの要否を決定する。
なお同一通信網内に接続する装置間で１２５μｓの周期を同期させるため、当該通信網に接続する装置の一つがサイクルマスタとしての権限を持ち、サイクルマスタとなった装置は、１２５μｓ毎にサイクル開始パケットと呼ばれるパケットを通信網内へ送信する。
またサイクル開始パケットには、タイムスタンプフィールドと呼ばれるフィールドが確保されており、タイムスタンプフィールドには通信網内で同期をとるための値であるタイムスタンプ値が示されている。
【００２０】
非同期通信は、ＡＶ／Ｃ（Ａｕｄｉｏ／Ｖｉｄｅｏ　Ｃｏｎｔｒｏｌ）命令等の制御のための情報の様に実時間性を要求されない通信に用いられる通信の方式であり、非同期通信用のパケットにはヘッダ情報として送信元及び送信先の装置を示すアドレスである夫々のノードＩＤを示す符号が含まれており、また書き込み命令及び読み込み命令等の情報の属性を示す符号も含まれている。
【００２１】
次に本発明の接続装置１０の構成について説明する。
図２は本発明の接続装置１０の構成を示すブロック図である。
接続装置１０は、装置全体を制御するマイクロプロセッサ１１を備え、マイクロプロセッサ１１は、主に同期通信用のパケット（以下、同期パケットという）の中継処理に用いられる第１中継手段１２及び非同期通信用のパケット（以下、非同期パケットという）の中継処理に用いられる第２中継手段１３を制御する。
【００２２】
第１中継手段１２は、集積回路である中継ＬＳＩ１２ａ及び中継ＬＳＩ１２ａによる中継処理に必要な情報、例えばバスリセット時に各装置に対して割り付けられるノードＩＤを記憶するＳＲＡＭ１２ｂを有する。
そして中継ＬＳＩ１２ａの制御により第１通信網ＮＷ１から第２通信網ＮＷ２又は第２通信網ＮＷ２から第１通信網ＮＷ１へ送信すべき同期パケットの中継処理を行う。
【００２３】
第２中継手段１３は、非同期パケットの中継処理に用いられるコンピュータプログラムを記録しているＲＯＭ（第１メモリ）１３ａ及び演算時に発生するデータを記憶するＲＡＭ１３ｂを有し、マイクロプロセッサ１１の制御により、ＲＯＭ１３ａからコンピュータプログラムを読み出し、読み出したコンピュータプログラムをＲＡＭ１３ｂに記憶させ、実行することにより、第１通信網ＮＷ１から第２通信網ＮＷ２又は第２通信網ＮＷ２から第１通信網ＮＷ１へ送信すべき非同期パケットの中継処理を行う。
【００２４】
また接続装置１０は、第１通信網ＮＷ１に接続するＩＥＥＥ１３９４対応コネクタ等の第１接続手段１４を備え、第１通信網ＮＷ１から第１接続手段１２を介して受け取った情報は、第１通信網ＮＷ１側の通信を制御する第１通信制御部１５へ送られる。
【００２５】
第１通信制御部１５は、物理層に関する処理を行うファイＬＳＩ１５ａ及びデータリンク層に関する処理を行うリンクＬＳＩ１５ｂを備え、第１接続手段１４から受け取った情報を第１中継手段１２へ送る。
【００２６】
第１中継手段１２へ送られた情報は、第１中継手段１２又は第２中継手段１３にて後述するアドレス変換等の処理が行われた上で第２通信網ＮＷ２側の通信を制御する第２通信制御部１６へ送られる。
【００２７】
第２通信制御部１６は、物理層に関する処理を行うファイＬＳＩ１６ａ及びデータリンク層に関する処理を行うリンクＬＳＩ１６ｂを備え、受け取った情報を第２通信網ＮＷ２に接続するＩＥＥＥ１３９４対応コネクタ等の第２接続手段１７を介して第２通信網ＮＷ２へ送出する。
【００２８】
なお第２通信網ＮＷ２から第２接続手段１７を介して受け取った情報は、第２通信制御部１６から第１中継手段１２へ送られ、第１中継手段１２又は第２中継手段１３にて各種処理が行われた上で第１通信制御部１５へ送られ、第１通信制御部１５から第１接続手段１４を介して第１通信網ＮＷ１へ送出される。
【００２９】
さらに接続装置１０の駆動のため、移動体に搭載されたバッテリから供給される電力を所定の電圧に変換する電源回路１８を備えている。
なお接続装置１０に接続するコントローラ２０は、ＲＳ２３２Ｃにて規定された規格に基づく通信線により、マイクロプロセッサ１１に接続している。
【００３０】
次に本発明の通信システムにおける各種処理を説明する。
図３は本発明の接続装置１０の同期通信に対する中継処理を示すフローチャートである。
例えば移動体に搭乗する搭乗者によるコントローラ２０の操作に基づき、第２通信網ＮＷ２に接続されている第２装置２であるＤＶＣから第１通信網ＮＷ１に接続されている第１装置１である液晶モニタへ画像情報を送信する場合、第１通信網ＮＷ１及び第２通信網ＮＷ２間での同期通信が必要となる。
【００３１】
なお接続装置１０は、第１装置１及び第２装置２の両装置を認識しているが、第１装置１及び第２装置２は、互いを認識していないため、接続装置１０は、第１装置１及び第２装置２間で送受信される情報を中継することとなる。
【００３２】
先ず接続装置１０は、第２装置２から送信される画像情報を第１装置１へ送信するために、第１通信網ＮＷ１での帯域の利用状況を、第１通信網ＮＷ１における同期通信の帯域を管理するＢＡＮＤＷＩＤＴＨ　ＡＶＡＩＬＡＢＬＥ　レジスタにアクセスすることで検出する（Ｓ１０１）。
検出した結果より新たな帯域を確保することが可能か否かを判断し（Ｓ１０２）、新たな帯域を確保することが可能な場合（Ｓ１０２：ＹＥＳ）、当該中継に必要な帯域及びチャネルを示す番号を確保し（Ｓ１０３）、確保した帯域及びチャネルを示す番号等の中継に必要な情報を中継ＬＳＩ１２ａが管理するＳＲＡＭ１２ｂに書き込む（Ｓ１０４）。
ステップＳ１０２において、帯域不足が生じるため新たな帯域を確保することが不可能な場合（Ｓ１０２：ＮＯ）であれば、その処理が不可能であることを音声又は画像により搭乗者に通知する異常処理を行う（Ｓ１０５）。
【００３３】
そして第２装置２では、第１装置１へ送信する画像情報を同期パケットとして第２通信網ＮＷ２上に送出する。
なお第２装置２から送出される同期パケットには、第２通信網ＮＷ２上において、予め割り当てられているチャネルが示される。
【００３４】
接続装置１０では、リンクＬＳＩ１６ｂの処理により、第２通信網ＮＷ２上に送出された同期パケットに示されているチャネルに基づいて、受け取るべき同期パケットか否かを判断し、受け取るべき同期パケットであると判断した場合に限り、当該同期パケットを受け取る（Ｓ１０６）。
同期パケットを受け取ると、リンクＬＳＩ１６ｂの処理により、第１中継手段１２が有する中継ＬＳＩ１２ａに対して割込命令を与え、中継ＬＳＩ１２ａでは、割込命令が同期パケット受け取りによるものと判断すると、マイクロプロセッサ１１に割込命令を与えることなく第１中継手段１２の制御に基づく以下の処理を行う。
【００３５】
先ず接続装置１０では、第１中継手段１２が有する中継ＬＳＩ１２ａの処理により、ＳＲＡＭ１２ｂに受け取った同期パケットを記憶させる（Ｓ１０７）。
そして受け取った同期パケットのタイムスタンプフィールドに示されているタイムスタンプ値を第１通信網ＮＷ１上のサイクルマスタにより管理されるタイムスタンプ値に書き換える（Ｓ１０８）。
なおこのときタイムスタンプ値には、送信先となる第１装置１への伝搬遅延時間が加味される。
さらに接続装置１０では、第１中継手段１２が有する中継ＬＳＩ１２の処理により、ＳＲＡＭ１２ｂを参照して、受け取った同期パケットに示されているチャネルを第１通信網ＮＷ１上で確保しているチャネルに書き換える（Ｓ１０９）。
そしてチャネルを書き換えた同期パケットをリンクＬＳＩ１５ｂに渡し、第１通信網ＮＷ１上に同期パケットとして送出する（Ｓ１１０）。
【００３６】
液晶モニタである第１装置１では、第１通信網ＮＷ１上に同期パケットとして送出された情報をチャネルに基づいて受け取り、受け取った情報を画像として出力する。
【００３７】
以降接続装置１０では、ステップＳ１０６乃至Ｓ１１０の処理を繰り返すことで、第１中継手段１２の処理により同期通信による通信を中継する。
なお第１通信網ＮＷ１上の第１装置１から第２通信網ＮＷ２上の第２装置２へ同期パケットを送信する処理についても、第２装置２から第１装置１へ同期パケットを送信する処理と、実質的には同様であり、接続装置１０において、第１中継手段１２が有する中継ＬＳＩ１２の処理により、第１通信網ＮＷ１から受け取った同期パケットのタイムスタンプ値及びチャネルを書き換え第２通信網ＮＷ２へ送出するものであるため、上述した説明を参照するものとし、詳細な説明を省略する。
【００３８】
図４は本発明の接続装置１０の非同期通信に対する中継処理を示すフローチャートである。
例えば移動体に搭乗する搭乗者が、第１通信網ＮＷ１に接続されている第１装置１を操作して第２通信網ＮＷ２に接続されている第２装置２を制御する場合、第１通信網ＮＷ１及び第２通信網ＮＷ２間での非同期通信が行われる。
なお第１装置１及び第２装置２間の非同期通信においても、接続装置１０は、第１装置１及び第２装置２間で送受信される情報を中継することとなる。
先ず第１装置１では、制御命令等のＡＶ／Ｃリクエストを非同期パケットとして第１通信網ＮＷ１上に送出する。
なお第１装置１から送出される非同期パケットには、第１通信網ＮＷ１上の送信元及び送信先の装置を示す夫々のアドレスが示されており、送信元のアドレスは第１装置１のノードＩＤを示しており、送信先のアドレスは第１通信網ＮＷ１上の接続装置１０のノードＩＤを示している。
【００３９】
接続装置１０では、リンクＬＳＩ１６ｂの処理により、第１通信網ＮＷ１上に送出された非同期パケットに示されている送信先のアドレスに基づいて、受け取るべき非同期パケットか否かを判断し、受け取るべき非同期パケットであると判断した場合に限り、当該非同期パケットを受け取る（Ｓ２０１）。
非同期パケットを受け取ると、リンクＬＳＩ１６ｂの処理により、第１中継手段１２が有する中継ＬＳＩ１２ａに対して割込命令を与え、中継ＬＳＩ１２ａでは、割込命令が非同期パケット受け取りによるものと判断すると、マイクロプロセッサ１１に割込命令を与える。
そして接続装置１０では、マイクロプロセッサ１１の制御に基づいて、第２中継手段１３が有するＲＯＭ１３ａから読み出したコンピュータプログラムをＲＡＭ１３ｂに記憶させて実行することにより、以下の処理を行う。
【００４０】
接続装置１０では、第１通信網ＮＷ１を介して受け取った非同期パケットが第２通信網ＮＷ２上の第２装置２へ送信すべき非同期パケットであることを確認した上、送信元及び送信先を示す夫々のアドレスを、第２通信網ＮＷ２上における接続装置１０のノードＩＤ及び第２装置２のノードＩＤに書き換える（Ｓ２０２）。
そして送信元及び送信先を示す夫々のアドレスを書き換えた非同期パケットをリンクＬＳＩ１６ｂに渡し、第２通信網ＮＷ２上に非同期パケットとして送出する（Ｓ２０３）。
【００４１】
第２装置２では、第２通信網ＮＷ２上に非同期パケットとして送出されたＡＶ／Ｃリクエストの送信先を示すアドレスに基づいて受け取り、受け取ったＡＶ／Ｃリクエストに基づいて処理を行う。
【００４２】
なお第２通信網ＮＷ２上の第２装置２から第１通信網ＮＷ１上の第１装置１へ非同期パケットを送信する処理についても、第１装置１から第２装置２へ非同期パケットを送信する処理と実質的には同様であり、接続装置１０において、マイクロプロセッサ１１の制御に基づいて、第２中継手段１３が有するＲＯＭ１３ａから読み出したコンピュータプログラムをＲＡＭ１３ｂに記憶させて実行することにより、第２通信網ＮＷ２から受け取った非同期パケットの送信元及び送信先を示すアドレスを書き換え第１通信網ＮＷ１へ送出するものであるため、上述した説明を参照するものとし、詳細な説明を省略する。
【００４３】
前記実施の形態では、ＩＥＥＥ１３９４にて規定された規格に基づく第１通信網ＮＷ１及び第２通信網ＮＷ２を利用する形態を示したが、本発明はこれに限らず、ＵＳＢ（Ｕｎｉｖｅｒｓａｌ　Ｓｅｒｉａｌ　Ｂｕｓ）等のＩＥＥＥ１３９４以外の規格に基づく第１通信網ＮＷ１及び第２通信網ＮＷ２を利用する形態でもよい。
また前記実施の形態では、２の通信網を接続装置１０に接続する形態を示したが、本発明はこれに限らず、３以上の通信網を接続装置１０に接続する形態でもよい。
【００４４】
【発明の効果】
以上詳述した如く本発明に係る接続装置及び通信システムでは、ＩＥＥＥ１３９４にて規定された規格に基づき車両等の移動体に設けられた第１通信網と、移動体内に持ち込まれる装置を接続する第２通信網とをゲートウェイ機能を備える接続装置にて接続し、実時間性を要求される同期通信の中継処理は、処理速度が速い専用のＬＳＩ等の集積回路にて行い、実時間性を要求されない非同期通信には、開発及び改良コストを抑制することができるコンピュータプログラムの実行処理にて行うことにより、一方の通信網のバスリセットによる瞬断を原因とする他方の通信網への悪影響を防止することが可能であり、また夫々独立した通信網を用いるので、システム全体として接続する装置の台数の上限を引き上げることが可能であり、しかも通信速度の向上及びコストの低減を実現することが可能である等、優れた効果を奏する。
【図面の簡単な説明】
【図１】本発明の通信システムの構成を示すブロック図である。
【図２】本発明の接続装置の構成を示すブロック図である。
【図３】本発明の接続装置の同期通信に対する中継処理を示すフローチャートである。
【図４】本発明の接続装置の非同期通信に対する中継処理を示すフローチャートである。
【符号の説明】
１　第１装置
２　第２装置
１０　接続装置
ＮＷ１　第１通信網
ＮＷ２　第２通信網
【図１】
2004080542.tif 000003
【図２】
2004080542.tif 000004
【図３】
2004080542.tif 000005
【図４】
2004080542.tif 000006